(57)【要約】【課題】    本発明は、道路、鉄道或は宅地等を作成するに当たって、山側の土圧を支える山留め擁壁構造を提供する。【解決手段】  山留め擁壁構造は、水平擁壁体１ｂに結合し土中に挿入の仮設前山留体５ｂを設ける。【選択図】        図１
2005089997.tif 000002
【特許請求の範囲】
【請求項１】
背面側の土圧を受ける垂直擁壁体を備え、前面側に水平擁壁体を備えるＬ型擁壁体で構成の山留め擁壁構造であって、
前記水平擁壁体に結合し土中に挿入の仮設前山留体を設けることを特徴とする山留め擁壁構造。
【請求項２】
垂直擁壁体と結合の仮設後山留体を設けることを特徴とする請求項１の山留め擁壁構造。
【請求項３】
背面側の土圧を受ける垂直擁壁体を備え、前面側に水平擁壁体を備えるＬ型擁壁体で山留め擁壁構造を製作する方法であって、
（１）結合具２０を取り付けた仮設後山留体５ａと仮設前山留体５ｂを土中に打ち込む。
（２）仮設後山留体５ａと仮設前山留体５ｂの間の土を取り除く。
（３）仮設後山留体５ａと仮設前山留体５ｂに連結体２５を取り付ける。
（４）垂直擁壁体１ａと水平擁壁体１ｂの鉄筋コンクリートを作成すると共に、水平擁壁体より上に出ている仮設前山留体を切断する。
（５）型枠を取り外した後に、水平擁壁体１ｂの上を整地して目的とする敷設を作る。
【発明の詳細な説明】
【技術分野】
【０００１】
本発明は、道路や鉄道の施設の建設、或は宅地造成等において用いる山留め擁壁の構造とその構築方法に関する。
【背景技術】
【０００２】
従来、水平擁壁体と垂直擁壁体が一体で形成のＬ字型山留め擁壁は、図４に示すように、背面側の土圧を支えるためにＬ字型のコンクリート製の擁壁１００が一般的に用いられている。
そして、このＬ字型山留め擁壁１００（垂直擁壁１００ａ、水平擁壁１００ｂ）は、特に、用地の余裕がない場所や、通常の逆Ｔ字式擁壁の設置が困難な場所に用いられ、背面側の土圧を山留め擁壁の曲げ剛性と前面側のフーチング剛性及び地盤反力度によって支える。
尚、このＬ字擁護壁はよく知られているので開示文献をあげない。
【発明の開示】
【発明が解決しようとする課題】
【０００３】
Ｌ字型山留め擁壁は、垂直擁壁体からの土圧により生ずる水平力を水平擁壁体下面の摩擦抵抗で支持することで安定を保持している。しかし、水平擁壁体は前面側の地盤の浅い位置に形成するため、摩擦抵抗力を生む垂直力（土圧）が得難く、大きなフーチングが必要となり、経済性に乏しい。
従って、このＬ字型山留め擁壁は、擁壁高さが高い場合には適用が少なく、小規模な山留めに用いることとなり、主に、直接基礎形式であるために、軟弱な地盤等、地盤支持力が期待できない土質には適用が困難である。
【０００４】
又、切土地盤の場合には、両側に山留め擁壁を設置して、その間を掘削した後に、構造物（擁壁）を構築するが、その構造物の型枠を撤去しなければならず、その型枠の撤去のために、山留め擁壁とＬ字型擁壁との間は、最低でも１ｍの空間が必要になる。そのため、掘削の幅が広くなり、擁壁構築に要する用地が広くなるという課題がある。
そこで、本発明は前記課題を解消する擁壁構造及びその構築方法について提供する。
【課題を解決するための手段】
【０００５】
請求項１の山留め擁壁構造は、水平擁壁体に結合し土中に挿入の仮設前山留体を設けるものであり、この仮設前山留体によって、水平擁壁体が受ける水平力に対抗することができる。
又、請求項２の山留め擁壁構造は、垂直擁壁体と結合の仮設後山留体を設けることによって、垂直擁壁体の強度補強及び仮設前山留体の支える水平力を分担する。
請求項３は山留め擁壁構造を構築する方法であり、
（１）結合具２０を取り付けた仮設後山留体５ａと仮設前山留体５ｂを土中に打ち込む。
（２）仮設後山留体５ａと仮設前山留体５ｂの間の土を取り除く。
（３）仮設後山留体５ａと仮設前山留体５ｂに連結体２５を取り付ける。
（４）垂直擁壁体１ａと水平擁壁体１ｂの鉄筋コンクリートを作成すると共に、水平擁壁体より上に出ている仮設前山留体を切断する。
（５）型枠を取り外した後に、水平擁壁体１ｂの上を整地して目的とする施設を作る。
の工程で施工するので、簡便にできる。
【発明の効果】
【０００６】
請求項１の山留め擁壁構造は、水平擁壁体に結合し土中に挿入の仮設前山留体を設けるものであり、この仮設前山留体によって、水平擁壁体が受ける水平力に対抗することができる。
又、請求項２の山留め擁壁構造は、垂直擁壁体と結合の仮設後山留体を設けることによって、垂直擁壁体の強度補強となる。又、仮設前山留体の支える水平力を分担することもできる。
請求項３の山留め擁壁を構築する方法は施工が簡便にできると共に小さく構築できて経済性に富むし、軟弱地盤にも用いることができるし、水平擁壁体の上の有効利用を図ることができる。
【発明を実施するための最良の形態】
【０００７】
本発明によるＬ字型擁壁による山留めについて、図面を参照して説明する。図１は完成した状態のＬ字型擁壁１及び仮設後山留体５ａと仮設前山留体５ｂの断面図である。
Ｌ字型擁壁１は垂直擁壁体１ａとこの垂直擁壁体１ａに垂直に水平擁壁体１ｂを鉄筋コンクリート等で一体に形成してあり、垂直擁壁体１ａは背面側１０の土圧を受ける。
尚、垂直擁壁体１ａの高さ（Ｈ１）と長さ（図１における裏面側への長さ）は、背面側１０から受ける土圧に対応可能な高さ、長さ以上であり、そのコンクリートの厚み（ｔ１）は、後述の仮設後山留体５ａを考慮して、背面側１０から受ける土圧に耐え得る強度を有する厚さである。
又、この垂直擁壁体１ａと一体に形成の水平擁壁体１ｂは、後述の仮設前山留体５ｂや道路幅等を考慮して幅（図１における裏面側への長さ）、長さ（Ｌ２）、厚み（ｔ２）を選定する。
【０００８】
又、前記垂直擁壁体１ａの山側には、垂直擁壁体１ａに沿って或は一体で、仮設後山留体５ａが山側の土中に挿入状態になっている。従って、背面側１０からの土圧は垂直擁壁体１ａと仮設後山留体５ａで受けることになる。尚、この仮設後山留体５ａは、所謂、鋼矢板若しくはＨ型鋼であり、厚みｔ４、高さＨ２、幅は垂直擁壁体１ａと同じである。
一方、水平擁壁体１ｂの前端部には、土中に垂直に、仮設前山留体５ｂが挿入してある。尚、この仮設前山留体５ｂは、所謂、鋼矢板若しくはＨ型鋼であり、厚みｔ５、高さと幅は仮設後山留体５ａと同じである。
前記仮設後山留体５ａは垂直擁壁体１ａ及び水平擁壁体１ｂと、仮設前山留体５ｂは水平擁壁体１ｂと結合されて一体となり、背面側１０の土圧を受ける仮設後山留体５ａ、垂直擁壁体１ａは前面側に埋設状態である水平擁壁体１ｂが受ける滑り摩擦を仮設前山留体５ｂ及び仮設後山留体５ａの垂直力で受けることになる。
【０００９】
次に、前記仮設後山留体５ａが垂直擁壁体１ａと、仮設前山留体５ｂが水平擁壁体１ｂと結合する結合具２０について、図２を参照して説明する。
結合具２０は、前記仮設後山留体５ａ又は及び仮設前山留体５ｂとボルト２１とナット２２及び連結体２５で構成してあり、前記仮設後山留体５ａと仮設前山留体５ｂの必要箇所に孔を穿設し、その孔にボルト２１を挿入後、ナット２２で留めた状態としておくことによって、ボルト２１の抜け落ちを防止する。
又、前記連結体２５は内ネジを形成の筒状の連結具２６に結合してあり、この連結体２５は後述のコンクリートの鉄筋に相当し、鉄製の異形棒鋼等であり、前記ナット２２を取り外し、前記連結具２６に形成の内ネジを前記ボルト２１に挿入して結合する。
尚、この結合具２０を用いて連結体２５を仮設後山留体５ａ及び仮設前山留体５ｂに結合するのは、仮設後山留体５ａと結合具２０の材質が溶接がし難い場合であって、溶接が容易に可能な場合には、仮設後山留体５ａ又は及び垂直擁壁体１ａに孔を明けることなく、後述の連結体２５を取り付ける段階で、直接、又は結合具２０を用いて、連結体２５を仮設後山留体５ａ及び仮設前山留体５ｂに溶接で結合してもよい。
【００１０】
次に、前記構成の仮設後山留体５ａと仮設前山留体５ｂ及び結合具２０を使用して、擁壁体を構築する手順について、図３を参照して説明する。
（１）先ず、仮設後山留体５ａと仮設前山留体５ｂに、水平擁壁体１ｂ又は及び垂直擁壁体１ａと結合する箇所（Ｘ、Ｙ）に孔を明けて、結合具２０を取り付ける。
そして、擁壁を設置して目的とする施設を作る場所に、前記仮設後山留体５ａと仮設前山留体５ｂを土中に打ち込む（図３（Ａ））。
（２）次に、仮設後山留体５ａと仮設前山留体５ｂの間の土を取り除く（図３（Ｂ））。
（３）次に、仮設後山留体５ａと仮設前山留体５ｂに取付けのナット２２を取り外して、ボルト２１に連結具２６を取り付け、その連結具２６に連結体２５をを取り付ける。
【００１１】
尚、この連結体２５は鉄筋コンクリートを介して、各々垂直擁壁体１ａ、水平擁壁体１ｂとを連結するものである。そのため、その場所（Ｘ、Ｙ）は適宜選定可能であり、例えば、垂直擁壁体１ａに対しては、仮設後山留体５ａの全面で結合させる場合には、適宜の間隔で全面に取り付ければ良いし、水平擁壁体１ｂに対してのみとする場合には水平擁壁体１ｂの右端部のみでよい。
又、仮設前山留体５ｂに取り付ける結合具２０は、水平擁壁体１ｂの前端部と結合させるので、その場所（Ｙ）に取り付ける。
以上によって、連結体２５は、垂直擁壁体１ａと水平擁壁体１ｂの鉄筋の一部に相当する。
【００１２】
（４）次に、水平擁壁体１ｂを構築するために鉄筋を配置した後にコンクリートを打設して、水平擁壁体１ｂを作る。
（５）次に、垂直擁壁体１ａを鉄筋コンクリートで作成するために、型枠を作成する。尚、垂直擁壁体１ａは仮設後山留体５ａの前側に作成すれば良いので、仮設後山留体５ａと背面側との間のスペースは不要である。
次に、コンクリートを流し込んで垂直擁壁体１ａを作成すると共に、水平擁壁体１ｂより上に出ている仮設前山留体５ｂを切断する。
（６）型枠を取り外した後に、水平擁壁体１ｂの上に整地して目的の施設を作る。
【００１３】
以上の工程で、垂直擁壁体１ａと水平擁壁体１ｂが完成すると共に、仮設後山留体５ａは背面側の土圧を受けると共に、仮設前山留体５ｂ及び仮設後山留体５ａは水平擁壁体１ｂの水平方向の移動に対する抵抗体となる。
従って、幅の狭い場所（フーチングの幅が狭い）に対して、背面側の土圧を受けることができる仮設後山留体５ａと仮設前山留体５ｂを簡便に構築することができる。
【００１４】
尚、前記Ｌ字型擁壁体は、垂直擁壁体１ａと水平擁壁体１ｂが９０゜が原則であるが、ここでは９０゜以外の角度で構成してもよい。
又、Ｌ字型擁壁体が山側土圧を受けて、その力は水平擁壁体１ｂの移動力になるので、その力を仮設前山留体５ｂで抵抗力として受ければよいので、仮設後山留体５ａは必ずしも必要でない。このように、仮設後山留体５ａと仮設前山留体５ｂは、施設場所によって適宜選択して用いればよい。
【図面の簡単な説明】
【００１５】
【図１】Ｌ字型擁壁体の断面図である。
【図２】（Ａ）は結合具の図、（Ｂ）は結合具に結合体を取り付けた図である。
【図３】（Ａ）〜（Ｄ）はＬ字型擁壁体を作成する工程図である。
【図４】従来のＬ字型擁壁体の断面図である。
【符号の説明】
【００１６】
１  Ｌ字型擁壁
１ａ  垂直擁壁体
１ｂ  水平擁壁体
５ａ  仮設後山留体
５ｂ  仮設前山留体
２０  結合具
２５  連結体
【図１】
2005089997.tif 000003
【図２】
2005089997.tif 000004
【図３】
2005089997.tif 000005
【図４】
2005089997.tif 000006